(57)【要約】【課題】複数の端子を基板に半田付けする場合であっても、端子の固定部間の距離を大きくして、半田付け作業を容易にすることができるコネクタ装置等を提供すること。【解決手段】互いに嵌合可能な第一コネクタと第二コネクタとから成る。大一コネクタの第一コンタクト部材は、第一コネクタと第二コネクタとの嵌合側において、第一コネクタと第二コネクタとの嵌合方向に沿って立設しある幅で互いに離間して設けられた、複数の第一接触子を有する。第一コネクタと第二コネクタの嵌合時に、第一コネクタの複数の第一接触子と、第二コネクタに設けた対応する第二接触子とが接触する。複数の第一接触子と関連して設けられた複数の固定部は、第一コネクタと第二コネクタとの嵌合側とは反対側の基板面側において、第一コネクタが接続される基板に設けた同じ穴に挿入される。【選択図】図１３
2014078466.tif 000002
【特許請求の範囲】
【請求項１】
互いに嵌合可能な第一コネクタと第二コネクタとから成るコネクタ装置であって、
前記第一コネクタは、
第一ハウジングと、
前記第一ハウジングに設けられた第一コンタクト部材と、を有し、
前記第一コンタクト部材は、前記第一コネクタと前記第二コネクタとの嵌合側において、前記第一コネクタと前記第二コネクタとの嵌合方向に沿って立設し第一の所定幅で互いに離間して設けられた、複数の第一接触子を有し、
前記第二コネクタは、
第二ハウジングと、
前記第二ハウジングに設けられた第二コンタクト部材と、を有し、
前記第一コネクタと前記第二コネクタの嵌合時に、前記第一コネクタの前記複数の第一接触子と、前記第二コネクタの前記第二コンタクト部材とが接触するようになっており、
複数の前記第一接触子と関連して設けられた複数の固定部が、前記第一コネクタが接続される基板に設けた同じ穴に挿入される、ことを特徴とするコネクタ装置。
【請求項２】
前記同じ穴に挿入するため、前記第一コンタクト部材は、前記第一コネクタと前記第二コネクタとの嵌合側の前記基板面において、曲部を有する請求項１に記載のコネクタ装置。
【請求項３】
前記同じ穴に２本の前記固定部が挿入される請求項１又は２に記載のコネクタ装置。
【請求項４】
前記同じ穴は前記第一の所定幅の略中間に位置している請求項３に記載のコネクタ装置。
【請求項５】
互いに嵌合可能なコネクタと他のコネクタとから成るコネクタ装置に用いる、前記コネクタであって、
前記コネクタは、ハウジングと、前記ハウジングに設けられたコンタクト部材と、を有し、
前記他のコネクタは、他のハウジングと、前記他のハウジングに設けられた他のコンタクト部材と、を有し、
前記コネクタと前記他のコネクタの嵌合時に、前記コンタクト部材と前記他のコンタクト部材が互いに接触するようになっており、
前記コネクタのコンタクト部材には、前記コネクタと前記他のコネクタとの嵌合側において、前記コネクタと前記他のコネクタとの嵌合方向に沿って立設し所定幅で互いに離間して設けられた、複数の接触子が設けられており、
前記コネクタと前記他のコネクタとの嵌合側の基板面において、前記複数の接触子に対応して曲部を設けることにより、前記複数の接触子と関連して設けられた複数の固定部同士が、少なくとも前記コネクタと前記他のコネクタとの嵌合側とは反対側の基板面側において互いに接近している、ことを特徴とするコネクタ。
【請求項６】
前記互いに接近した固定部を有する前記接触子の組によって構成される固定部の組と、前記接触子の組と相隣り合って配置された前記互いに接近した固定部を有する前記接触子の他の組によって構成される他の固定部の組と、の間の距離が、前記接触子の組と、前記接触子の組と相隣り合って配置された前記接触子の他の組と、の間の最短距離より、大きい請求項５に記載のコネクタ。
【発明の詳細な説明】
【技術分野】
【０００１】
本発明は、互いに嵌合可能な２つのコネクタから成るコネクタ装置及び該装置に用いるコネクタであって、コネクタに設けたコンタクト部材が、相手コネクタとの嵌合側において、嵌合方向に沿って立設し所定の幅で互いに離間して設けられた複数の接触子を有するコネクタ装置等に関する。
【背景技術】
【０００２】
図１９に、特開２０１２−３８４９７号公報に開示された従来のコネクタ装置１１０の一例を示す。図１９は、特に、レセプタクルコネクタ１２０とプラグコネクタの１６０嵌合動作を示す断面図であって、特に、嵌合前の状態を示している。
【０００３】
コネクタ装置１１０は、図示矢印「ア」方向（嵌合方向）に沿って嵌合可能なレセプタクルコネクタ１２０とプラグコネクタ１６０の対で形成される。
【０００４】
レセプタクルコネクタ１２０は、挿入口１２３を有するハウジング１２１と、このハウジング１２１に設けられたコンタクト部材１３０を有する。コンタクト部材１３０には、短端子１４２と長端子１５１が含まれる。短端子１４２と長端子１５１は全て、レセプタクルコネクタ１２０とプラグコネクタ１６０との嵌合側において、レセプタクルコネクタ１２０とプラグコネクタ１６０との嵌合方向に沿って立設し、所定幅で互いに離間して設けられている。また、これら短端子１４２と長端子１５１の固定部１３０は、短端子１４２や長端子１５１から直線状に延長され、基板１１３に設けられた穴１１６を貫通させた状態でそこに半田付けされている。
【０００５】
プラグコネクタ１６０は、ハウジング１６１と、このハウジング１６１に設けられたコンタクト部材１７０を有する。コンタクト部材１７０には、相対して配置された板状端子１７７、１７８が含まれる。これらの板状端子１７７、１７８は共に、レセプタクルコネクタ１２０とプラグコネクタ１６０との嵌合側において、レセプタクルコネクタ１２０とプラグコネクタ１６０との嵌合方向に沿って立設し、所定幅で互いに離間して設けられている。また、これら板状端子１７７、１７８の固定部１７０は、板状端子１７７、１７８から直線状に延長され、基板１１２に設けられた穴１１７を貫通させた状態でそこに半田付けされている。
【先行技術文献】
【特許文献】
【０００６】
【特許文献１】特開２０１２−３８４９７号公報
【発明の概要】
【発明が解決しようとする課題】
【０００７】
このような構造の従来のコネクタ装置では、特に端子のピッチ間距離が短くなった場合に、それら端子の固定部同士の距離が小さくなり、この結果、絶縁距離が短くなるとともに半田ブリッジの可能性が高くなるといった問題があった。また、端子の電流を合成する際、その合成を、別途、基板パターン部で行う必要があるといった問題もあった。
【０００８】
本願発明は、上記の問題点を解決するためになされたものであり、複数の端子を基板に半田付けする場合であっても、端子の固定部間の距離を大きくして、絶縁距離が長くなるとともに半田付け作業を容易にし、また、接触子を互いに接触させることによって別途基板パターンで行うことなく電流を合成することができるコネクタ装置等を提供することを目的とする。
【課題を解決するための手段】
【０００９】
本発明のコネクタ装置は、互いに嵌合可能な第一コネクタと第二コネクタとから成るコネクタ装置であって、前記第一コネクタは、第一ハウジングと、前記第一ハウジングに設けられた第一コンタクト部材と、を有し、前記第一コンタクト部材は、前記第一コネクタと前記第二コネクタとの嵌合側において、前記第一コネクタ）と前記第二コネクタとの嵌合方向に沿って立設し第一の所定幅で互いに離間して設けられた、複数の第一接触子を有し、前記第二コネクタは、第二ハウジングと、前記第二ハウジングに設けられた第二コンタクト部材と、を有し、前記第一コネクタと前記第二コネクタの嵌合時に、前記第一コネクタの前記複数の第一接触子と、前記第二コネクタの前記第二コンタクト部材とが接触するようになっており、複数の前記第一接触子と関連して設けられた複数の固定部が、前記第一コネクタが接続される基板に設けた同じ穴に挿入される、ことを特徴とする。
このように、複数の固定部を、基板に設けた同じ穴に挿入するようにしたことにより、複数の端子を基板に半田付けする場合であっても、各端子の固定部間の距離を大きくして、半田付けを容易にし、また、接触子を互いに接触させることによって別途基板パターンで行うことなく電流を合成することができる。
【００１０】
上記コネクタ装置において、前記同じ穴に挿入するため、前記第一コンタクト部材は、前記第一コネクタと前記第二コネクタとの嵌合側の前記基板面において、曲部を有していてもよい。
【００１１】
また、前記同じ穴に２本の前記固定部が挿入されていてもよい。
前記同じ穴は前記第一の所定幅の略中間に位置していてもよい。
【００１２】
また、本発明は、互いに嵌合可能なコネクタと他のコネクタとから成るコネクタ装置に用いる、前記コネクタであって、前記コネクタは、ハウジングと、前記ハウジングに設けられたコンタクト部材と、を有し、前記他のコネクタは、他のハウジングと、前記他のハウジングに設けられた他のコンタクト部材と、を有し、前記コネクタと前記他のコネクタの嵌合時に、前記コンタクト部材と前記他のコンタクト部材が互いに接触するようになっており、前記コネクタのコンタクト部材には、前記コネクタと前記他のコネクタとの嵌合側において、前記コネクタと前記他のコネクタとの嵌合方向に沿って立設し所定幅で互いに離間して設けられた、複数の接触が設けられており、前記コネクタと前記他のコネクタとの嵌合側の基板面において、前記複数の接触子に対応して曲部を設けることにより、前記複数の接触子と関連して設けられた複数の固定部同士が、少なくとも前記コネクタと前記他のコネクタとの嵌合側とは反対側の基板面側において互いに接近している、ことを特徴としている。
【００１３】
上記コネクタにおいて、前記互いに接近した固定部を有する前記接触子の組によって構成される固定部の組と、前記接触子の組と相隣り合って配置された前記互いに接近した固定部を有する前記接触子の他の組によって構成される他の固定部の組と、の間の距離が、前記接触子の組と、前記接触子の組と相隣り合って配置された前記接触子の他の組と、の間の最短距離より、大きくてもよい。
【発明の効果】
【００１４】
本願発明によれば、複数の端子を基板に半田付けする場合であっても、端子の固定部間の距離を大きくして、半田付け作業を容易にし、また、接触子を互いに接触させることによって別途基板パターンで行うことなく電流を合成することができる。
【図面の簡単な説明】
【００１５】
【図１】本発明による一例としてのコネクタ装置のレセプタクルコネクタの斜視図である。
【図２】本発明による一例としてのコネクタ装置のプラグコネクタの斜視図である。
【図３】本発明による他の例としてのコネクタ装置のレセプタクルコネクタの斜視図である。
【図４】本発明による他の例としてのコネクタ装置のプラグコネクタの斜視図である。
【図５】コンタクト部材の斜視図である。
【図６】図５のコンタクト部材の前面図である。
【図７】図５のコンタクト部材の平面図である。
【図８】コンタクト部材の斜視図である。
【図９】図８のコンタクト部材の前面図である。
【図１０】図８のコンタクト部材の平面図である。
【図１１】本コネクタ装置の正面図及び左側面図であって、レセプタクルコネクタとプラグコネクタの嵌合前の状態を示す図である。
【図１２】図１１におけるＩ−Ｉ線断面図である。
【図１３】図１１におけるII−II線断面図である。
【図１４】本コネクタ装置の正面図及び左側面図であって、レセプタクルコネクタとプラグコネクタの嵌合後の状態を示す図である。
【図１５】図１４におけるＩ−Ｉ線断面図である。
【図１６】図１４におけるII−II線断面図である。
【図１７】本レセプタクルコネクタの底面図である。
【図１８】本プラグコネクタの底面図である。
【図１９】従来のコネクタ装置の一例を示す断面図である。
【発明を実施するための形態】
【００１６】
添付図面を参照しつつ、本発明の一つの好適な実施形態を説明する。
本発明のコネクタ装置１０は、互いに嵌合可能なレセプタクルコネクタ２０とプラグコネクタ６０から成る。図１に、本発明による一例としてのコネクタ装置１０のレセプタクルコネクタ２０の斜視図を、図２に、このレセプタクルコネクタ２０と嵌合可能なプラグコネクタ６０の斜視図を、それぞれ示す。これらレセプタクルコネクタ２０とプラグコネクタ６０は着脱自在に嵌合して互いに電気的に接続され得る。
【００１７】
図１に示すように、レセプタクルコネクタ２０は、主に、レセプタクルコネクタ２０とプラグコネクタ６０の嵌合時にプラグコネクタ６０の所定部分が挿入される挿入口２３を有したレセプタクルハウジング２１と、この挿入口２３との関係でレセプタクルハウジング２１に固定して設けられたコンタクト部材３０から成る。コンタクト部材３０は、例えば、基板１１に半田付けすることによって固定した状態で使用される。
【００１８】
レセプタクルコネクタ２０の挿入口２３に、挿入口２３の一部を閉塞する複数の塞部２４が格子状に設けられている。これら複数の塞部２４は、コンタクト部材３０よりもレセプタクルコネクタ２０とプラグコネクタ６０との嵌合側に近い側に突出した状態で設けられており、これにより、プラグコネクタ６０の挿入を許容しつつ、挿入口２３を通じた不用意な指等の挿入を防止することができる。尚、塞部２４は、ハウジング２１の両側壁から、挿入口２を閉塞する方向に延びていればよく、必ずしも図示のようにブリッジ状に繋がっている必要はない。指等の挿入を防止できればよいのであって、その形状は限定されない。また、塞部２４同士の間隔は設計事項であって、状況に応じて自由に設定することができる。レセプタクルコネクタ２０の挿入口２３は、ここでは基板１１に対して垂直に配置されている。尚、レセプタクルコネクタ２０は、補強金具１３を利用して基板１１に固定されていてもよい。
【００１９】
プラグコネクタ６０は、主に、プラグハウジング６１と、このプラグハウジング６１に固定して設けられたコンタクト部材７０から成る。コンタクト部材７０は、例えば、基板１２に半田付けすることにより固定した状態で使用される。尚、プラグコネクタ６０は、補強金具７３を利用して基板１２に固定されていてもよい。
【００２０】
プラグコネクタ６０のプラグハウジング６１には、基台６２と、この基台６２からレセプタクルコネクタ２０とプラグコネクタ６０との嵌合方向（図示矢印「ア」方向）に沿って櫛歯状に立設された複数の板状体６３が含まれる。これら複数の板状体６３は、それぞれ、レセプタクルコネクタ２０とプラグコネクタ６０の嵌合時に、レセプタクルコネクタ２０の挿入口２３を通じてレセプタクルハウジング２１に挿入される。
【００２１】
板状体６３は、互いに面する方向（図示矢印「イ」方向）に沿って対向する２つの板状体６３ａ、６３ｂを組として、図示矢印「ウ」方向に開放された隙間７８を形成している。レセプタクルコネクタ２０の挿入口２３に図示矢印「イ」方向に沿って並列に配した複数の塞部２４は、これらの各隙間７８にそれぞれに対応して設けられており、レセプタクルコネクタ２０とプラグコネクタ６０の嵌合時には、プラグコネクタ６０に設けられたこれらの各隙間７８に、レセプタクルコネクタ２０のコンタクト部材３０が挿入されるとともに、各塞部２４も収容される。
【００２２】
各隙間７８を形成する板状体６３ａ、６３ｂには、各隙間７８に挿入されたレセプタクルコネクタ２０のコンタクト部材３０の対応位置において、各板状体６３ａ、６３ｂに沿ってコンタクト部材７０が設置されている。レセプタクルコネクタ２０とプラグコネクタ６０の嵌合時には、プラグコネクタ６０のコンタクト部材７０と、各隙間７８に挿入されたレセプタクルコネクタ２０のコンタクト部材３０とが接触し通電し得る。
【００２３】
図３、図４に、コネクタ装置の他の例を斜視図で示す。図３は、コネクタ装置１０’のレセプタクルコネクタ２０’の斜視図を、図４は、このレセプタクルコネクタ２０’と対で使用されるプラグコネクタ６０’の斜視図を、それぞれ示している。これらの図では、図１と同様の部材には同様の参照番号を用い、「’」を付している。コネクタ装置１０のレセプタクルコネクタ２０やプラグコネクタ６０と同様に、これらレセプタクルコネクタ２０’とプラグコネクタ６０’は着脱自在に互いに嵌合して電気的に接続され得る。コネクタ装置１０’の基本構成は、図１に示したコネクタ装置１０と同じである。相違は、基板１１’や基板１２’に対する、レセプタクルコネクタ２０’やプラグコネクタ６０’の設置向きのみである。尚、設置向きの相違により、当然に、嵌合方向は異なる。例えば、図１の例では、基板１１、１２の基板面同士を互いに接近させるようにして、レセプタクルコネクタ２０とプラグコネクタ６０を嵌合させるタイプのものであったが、図３、図４のコネクタ装置１０’では、レセプタクルコネクタ２０’の嵌合穴２３’が基板１１’に対して水平に、また、プラグコネクタ６０’の板状体６３’が基板１２’に対して水平に、それぞれ立設していることから、基板１１’、１２’の縁同士を互いに接近させるようにして、レセプタクルコネクタ２０’とプラグコネクタ６０’を嵌合させることになる。
【００２４】
尚、これら図１、図２に示した例は、組み合わせ方法を限定するものではない。例えば、図１のレセプタクルコネクタ２０と図４のプラグコネクタ６０’を組み合わせることもできるし、或いは、図２のプラグコネクタ６０と図３のレセプタクルコネクタ２０’を組み合わせることもできる。組み合わせは、状況に応じて自由に変更できる。
【００２５】
図５乃至図７を参照して、レセプタクルコネクタ２０のコンタクト部材３０の構成を、更に詳細に説明する。図５は、コンタクト部材３０の斜視図、図６は、その前面図、図７は、その平面図である。
【００２６】
コンタクト部材３０は、基部４０、５０からそれぞれ延びる、厚み方向（図示矢印「イ」方向）に弾性変位作用を有する複数の接触子、例えば４個の接触子４１、５２、５１、４２を有する。これら複数の接触子４１、５２、５１、４２は、レセプタクルコネクタ２０とプラグコネクタ６０との嵌合方向（図示矢印「ア」方向）に沿って立設した状態で設けられている。
【００２７】
接触子４１、５２、５１、４２には、２つのタイプが含まれる。即ち、比較的長さの長い長接触子５２、５１と、比較的長さの短接触子４１、４２である。長接触子５２、５１と短接触子４１、４２の実質的な相違は、基部４０、５０からの長さが長いか短いかにある。
【００２８】
長さの異なるこれら長接触子５２、５１と短接触子４１、４２はそれぞれ、相手側の接触子に向かう変位方向（図示矢印「イ」方向）において相対して配置され、相隣り合って互いに組を構成している。例えば、長接触子５２と短接触子４１が一つの組を構成し、また、長接触子５１と短接触子４２が一つの組を構成し得る。
【００２９】
これら長接触子５２、５１と短接触子４１、４２は、例えば、変位方向（図示矢印「イ」方向）においてある所定幅（図６の「ａ」）で互いに離間して設けられており、各接触子５２、５１、４１、４２に対応して、固定部５２Ｄ、５１Ｄ、４１Ｄ、４２Ｄを有する。これら固定部５２Ｄ、５１Ｄ、４１Ｄ、４２Ｄと、コンタクト部材３０の基部４０との間には、それぞれ、曲部５２Ｃ、５１Ｃ、４１Ｃ、４２Ｃが設けられており、これらの曲部５２Ｃ、５１Ｃ、４１Ｃ、４２Ｃを設けることによって、固定部５２Ｄと固定部４１Ｄ、或いは、固定部５１Ｄと固定部４２Ｄは、互いに近接した状態とすることができる。互いに近接させたこれらの固定部５２Ｄと固定部４１Ｄ、或いは、固定部５１Ｄと固定部４２Ｄは、それぞれ、基板１１に設けた所定の各穴（後述する図１７の各「穴１６」）に挿入されて、そこに半田付けされ得る。
【００３０】
コンタクト部材３０とハウジング２１を固定するため、各基部４０、５０の両側部に、圧入部４１Ｅ、５１Ｅや圧入部５２Ｅ、４２Ｅが設けられていてもよい。ハウジング２１の所定部分にこれらを圧入することによって、接触子をハウジング２１の所定位置に立設した状態で設けることができる。
【００３１】
また、長接触子５２、５１及び短接触子４１、４２は、それぞれ、外方に、即ち、相隣り合って組を構成する相手側の接触子（例えば、長接触子５２の相手側の接触子は短接触子４１、長接触子５１の相手側の接触子は短接触子４２）から変位方向（図示矢印「イ」方向）において遠ざかる側に、凸湾曲した凸湾曲部５２Ａ、５１Ａ、４１Ａ、４２Ａを、またこれらに対応する凹湾曲部５２Ｂ、５１Ｂ、４１Ｂ、４２Ｂを有する。
【００３２】
レセプタクルコネクタ２０とプラグコネクタ６０の嵌合時には、これら凸湾曲部５２Ａ、５１Ａ、４１Ａ、４２Ａはそれぞれ、少なくともプラグコネクタ６０の隙間７８に一部が配置されたコンタクト部材７０と弾性接触し、この結果、長接触子５１と短接触子４２、或いは、長接触子５２と短接触子４１は、それぞれ、内方に、即ち、相隣り合って組を構成する相手側の接触子（例えば、長接触子５２の相手側の接触子は短接触子４１、短接触子４１の相手側の接触子は長接触子５２である）に変位方向（図示矢印「イ」方向）において接近する方向に変位する。
【００３３】
尚、短接触子４１、４２は、長接触子５１、５２に比べ、基部４０、５０からの嵌合方向（図示矢印「ア」方向）における長さが短く設定されていることから、長接触子５２、５１の接触部５２Ａ、５１Ａは、嵌合方向に沿う方向においては、短接触子４１、４２の接触部４１Ａ、４２Ａよりも、レセプタクルコネクタ２０とプラグコネクタ６０との嵌合側に近い側に配置される。この結果、長接触子５２、５１の接触部５２Ａ、５１Ａと、短接触子４１、４２の接触部４１Ａ、４２Ａが、それぞれ、変位方向（図示矢印「イ」方向）に沿って、内方に変位したとき、短接触子４１、４２の接触部４１Ａ、４２Ａ付近は、長接触子５２、５１の接触部５２Ａ、５１Ａによって内方に形成された凹湾曲空間５２Ｇ、５１Ｇに逃げるため、長接触子５２、５１と短接触子４１、４２が衝突することはない。このような構成により、接触子の変位量を十分に確保する一方で、装置の小型化も図られる。
【００３４】
レセプタクルコネクタ２０とプラグコネクタ６０の嵌合時に、長接触子５２と短接触子４１、或いは、長接触子５１と短接触子４２とが、可能な限り互いに接近することを許容するため、それら長接触子５２と短接触子４１の間、或いは、長接触子５１と短接触子４２の間に、貫通穴２５が設けられている。貫通穴２５を設けて、長接触子と短接触子とを可能な限り接近可能とすることにより、接触子と塞部２５との衝突を防止するとともに、装置の小型化を図ることができる。この場合、塞部２４は、貫通穴２５の上部にブリッジ状に形成され、また、長接触子５２、５１と短接触子４１、４２の略中間に位置付けられる。
【００３５】
尚、図５、図６に示す例では、長接触子５２及び短接触子４２を、一枚の板から、また、長接触子５１及び短接触子４１を、他の一枚の板から、それぞれ形成し、後にそれらを組み合わせるものとしたが、長接触子５２及び短接触子４２と、長接触子５１及び短接触子４１は、互いに電気的に接続されていてもよい。従って、例えば、これらの接触子の全てを、一枚の金属板を打ち抜き、折り曲げることによって形成することができる。但し、接触の信頼性を高めるため、コンタクト部材３０には金メッキが施すのが好ましい。
【００３６】
図８乃至図１０を参照して、プラグコネクタ６０のコンタクト部材７０の構成を、更に詳細に説明する。図８は、コンタクト部材７０の斜視図、図９は、その前面図、図１０は、その平面図である。
【００３７】
コンタクト部材７０は、レセプタクルコネクタ２０とプラグコネクタ６０との嵌合方向に沿って所定幅で互いに離間した状態で立設された板状の接触子７６と接触子７７を備える。これら接触子７６及び接触子７７はいずれも、嵌合方向（図示矢印「ア」方向）に沿って面を形成し、また、コンタクト部材３０に含まれる長接触子５２、５１及び短接触子４１、４２の変位方向（図示矢印「イ」方向）に沿って相対した状態で設けてある。接触子７６、接触子７７の両側部には、圧入部７６Ｅ、７６Ｅ’、及び、圧入部７７Ｅ、７７Ｅ’が設けられていてもよい。
【００３８】
接触子７６及び接触子７７は、それぞれ、プラグハウジング６１、更に言えば、１つの組を構成する対向する２つの板状体６３ａ、６３ｂの各々に配置される。従って、接触子７６と接触子７７は、２つの板状体６３ａ、６３ｂと同様に、互いに、変位方向（図示矢印「イ」方向）に沿って相対した状態で設けられる。
【００３９】
接触子７６及び接触子７７は、例えば、コンタクト部材３０の接触子５２、４１、４２、５１の変位方向（図示矢印「イ」方向）に沿って、ある所定幅（図９の「ｂ」）で互いに離間して設けられている。接触子７６には、固定部７６Ｄ、７６Ｄ’が、また、接触子７７には、固定部７７Ｄ、７７Ｄ’が、それぞれ設けられており、更に、固定部７６Ｄ、７６Ｄ’と接触子７６との間、或いは、固定部７７Ｄ、７７Ｄ’と接触子７７との間には、それぞれ、曲部７６Ｃ、７６Ｃ’、或いは、曲部７７Ｃ、７７Ｃ’が設けられている。これらの曲部７６Ｃ、７６Ｃ’、７７Ｃ、７７Ｃ’を設けたことにより、固定部７６Ｄと固定部７７Ｄ、或いは、固定部７６Ｄ’と固定部７７Ｄ’を、互いに近接した状態とすることができ、互いに近接させたこれらの固定部７６Ｄと固定部７７Ｄ、或いは、固定部７６Ｄ’と固定部７７Ｄ’は、それぞれ、基板１２に設けた所定の各穴（後述する図１８の各「穴１７」）に挿入されて、そこに半田付けされ得る。
【００４０】
尚、接触子７６及び接触子７７は、互いに電気的に接続されていてもよい。従って、例えば、これらの接触子７６、７７の双方を、一枚の金属板を打ち抜き、折り曲げることによって形成することができる。但し、接触の信頼性を高めるため、コンタクト部材７０には金メッキが施すのが好ましい。
【００４１】
図１１は、本コネクタ装置１０の概観を示す図であって、（ａ）は、その正面図、（ｂ）は、その左側面図、図１２は、図１１の（ａ）におけるＩ−Ｉ線断面図、図１３は、図１１の（ｂ）におけるII−II線断面図である。これら図１１乃至図１３は、特に、レセプタクルコネクタ２０とプラグコネクタ６０の嵌合前の状態を示している。
これに対し、図１４乃至図１６は、図１１乃至図１３のそれぞれに対応する図であって、レセプタクルコネクタ２０とプラグコネクタ６０の嵌合後の状態を示したものである。
【００４２】
これらの図から明らかなように、レセプタクルコネクタ２０とプラグコネクタ６０の嵌合時には、プラグコネクタ６０の板状体６３ａと板状体６３ｂによって形成された隙間７８に、図示矢印「ア」方向において、コンタクト部材３０の長接触子５２、５１、及び、短接触子４１、４２が収容される。また、これと同時に、接触子の組同士の間に形成された隙間２７、つまり、長接触子５２と短接触子４１や長接触子５１と短接触子４２によって構成される第一の組「ａ」と、長接触子５２と短接触子４１や長接触子５１と短接触子４２によって構成され、図示矢印「イ」方向において第一の組「ａ」と相隣り合う第二の組「ｂ」と、の間に形成された隙間２７に、図示矢印「ア」方向において、板状の接触子７６、７７を設けた板状体６３が収容される。
この際、板状体６３ａにおいては、板状体６３ａに設けたプラグコネクタ６０のコンタクト部材７０の接触子７６が、レセプタクルコネクタ２０のコンタクト部材３０の長接触子５２及び短接触子４２と、それらの接触部５２Ａ及び接触部４２Ａにおいて弾性接触し、長接触子５２及び短接触子４２を、プラグコネクタ６０のコンタクト部材７０の板状体６３ｂ（及び接触子７７）の側に変位させる。一方、板状体６３ｂにおいては、板状体６３ｂに設けたプラグコネクタ６０のコンタクト部材７０の接触子７７が、レセプタクルコネクタ２０のコンタクト部材３０の短接触子４１及び長接触子５１とそれらの接触部４１Ａ及び接触部５１Ａにおいて弾性接触し、短接触子４１及び長接触子５１を、プラグコネクタ６０のコンタクト部材７０の板状体６３ａ（及び接触子７６）の側に変位させる。
これら各接触子の変位時には、各組を構成する長接触子５２と短接触子４１が、或いは、長接触子５１と短接触子４２が、それぞれ、互いに接近することになるが、上述したように、塞部２４には貫通穴２５が設けられていることから、これら接触子と塞部２４とが衝突することはない。また、長接触子と短接触子に関しても、上述したように、短接触子４１、４２の接触部４１Ａ、４２Ａ付近は、長接触子５２、５１の接触部５２Ａ、５１Ａによって内方に形成された凹湾曲空間５２Ｇ、５１Ｇに逃げることから、長接触子５２、５１と短接触子４１、４２が衝突することはない。
【００４３】
ここで、長接触子５１と長接触子５２は、嵌合方向に沿う方向において同位置に配置されていることから、また、短接触子４１と短接触子４２は、嵌合方向に沿う方向において同位置に配置されていることから、レセプタクルコネクタ２０とプラグコネクタ６０の嵌合の際、それらは同じタイミングでコンタクト部材７０の接触子７６や接触子７７とそれぞれ接触し得る。このように、同じタイミングで接触させることにより、長接触子５１、５２や、短接触子４１、４２によってコンタクト部材７０に加わる力を効率的に分散させることができる。また、本実施例では、長接触子５１と長接触子５２が点対照に、また、短接触子４１と短接触子４２が点対称に、それぞれ配置されていることから、コンタクト部材７０は、均等に分散された力を受けることになる。よって、嵌合動作をより安定したものとすることができる。更に、短接触子４１、４２は、嵌合方向（図示矢印「ア」方向）において長接触子５１、５２よりもプラグコネクタ６０から遠くに位置付けられていることから、長接触子５１、５２が接触した後にコンタクト部材７０と接触することになり、この結果、コンタクト部材７０が受ける力を効率よく分散させることができる。
【００４４】
図１７、図１８に、レセプタクルコネクタ２０の底面図とプラグコネクタ６０の底面図をそれぞれ示す。これらの図、及び、図５乃至図１０や図１１乃至図１６から明らかなように、本構成では、接触子に対応して設けられた複数の、ここでは２個の、固定部が同じ穴に挿入されている。このような構成を採用することにより、接触子間のピッチは維持しつつ、固定部同士の絶縁距離間隔を大きくすることができ、この結果、半田ブリッジをそれ程気にすることなく半田付けができるため半田付け作業が容易になり、また、接触子を互いに接触させることによって別途基板パターンで行うことなく電流を合成することができる。
【００４５】
例えば、長接触子５２（５１）と短接触子４１（４２）は、レセプタクルコネクタ２０とプラグコネクタ６０との嵌合側では、変位方向（図示矢印「イ」方向）においてある所定幅で互いに離間されているにもかかわらず、これらの各接触子に対応して設けられた、固定部５２Ｄ（５１Ｄ）、４１Ｄ（４２Ｄ）は、少なくともレセプタクル２０とプラグコネクタ６０との嵌合側とは反対側の基板面１８’側において、好ましくは、レセプタクル２０とプラグコネクタ６０との嵌合側の基板面１８付近から反対側の基板面１８’の下方の全てにおいて、互いに組み合わされた状態で、レセプタクルコネクタ２０が固定される基板１１に設けた同じ穴１６1、１６2、に挿入され半田付けされる。
【００４６】
固定部５２Ｄ（５１Ｄ）、４１Ｄ（４２Ｄ）を同じ穴１６1、１６2、に挿入するため、長接触子５２（５１）や短接触子４１（４２）を含むコンタクト部材３０は、レセプタクルコネクタ２０とプラグコネクタ６０との嵌合側の基板面１８において、長接触子５２（５１）や短接触子４１（４２）に対応する部分に曲部５２Ｃ（５１Ｃ）、４１Ｃ（４２Ｃ）を有する。各接触子は、これらの曲部５２Ｃ（５１Ｃ）、４１Ｃ（４２Ｃ）において、組を構成している相手側の接触子に接近する側、例えば、長接触子５２で言えば、長接触子５２と組を構成している相手側の短接触子４１の側に、一方、短接触子４１で言えば、短接触子４１と組を構成している長接触子５２の側に、それぞれ曲げられており、同様に、長接触子５１で言えば、長接触子５１と組を構成している短接触子４２の側に、一方、短接触子４２で言えば、短接触子４２と組を構成している長接触子５１の側に、それぞれ曲げられている。これらの曲部５２Ｃ（５１Ｃ）、４１Ｃ（４２Ｃ）を設けることにより、組を構成している一方の接触子の固定部５２Ｄ（４２Ｄ）と他方の接触子の固定部４１Ｄ（５２Ｄ）とを、少なくとも、レセプタクルコネクタ２０とプラグコネクタ６０との嵌合側とは反対側の基板面１８’側において面接触させた状態で、所定の穴１６1、１６2、に挿入することができるようになっている。尚、一方の接触子の固定部５２Ｄ（４２Ｄ）と他方の接触子の固定部４１Ｄ（５２Ｄ）は、面接触しているのが好ましいが、必ずしもそれらの面は接触している必要はなく、多少離れた状態であっても互いに接近していれば十分である。多少離れていても、それらは半田付けによって物理的にもまた電気的にも接続されることになる。また、組を構成する一方及び他方の双方の接触子において曲部を設ける必要は必ずしもなく、それらの一方の側の接触子にのみ曲部を設けてもよい。例えば、長接触子５２と短接触子４１の組において、長接触子５２に対応する固定部５２Ｄだけを曲部５２Ｃを利用して短接触子４１の側に曲げ、短接触子４１に対応する固定部４１Ｄについては曲部を設けなくとも良い。明らかなように、組を構成する一方及び他方の双方の接触子において曲部を設け、また、一方の接触子における曲部から固定部までの距離と、他方の接触部における曲部から固定部までの距離と、を同じ大きさに設定した場合、穴１６は、長接触子５２と短接触子４１が、変位方向（図示矢印「イ」方向）において離間されている幅（図６の「ａ」）の略中間に位置することになる。これに対し、組を構成する一方の接触子にのみ曲部を設けた場合、或いは、組を構成する一方の接触子の曲部から固定部までの距離と他方の接触子の曲部から固定部までの距離を変えた場合、穴の位置は、この中間位置から多少ずれることになる。
尚、図１３に示すように、ある接触子５２、４１の組によって構成される固定部５２Ｄ、４１Ｄの組と、この接触子５２、４１の組と相隣り合って配置された、他の接触子５２’、４１’の組によって構成される他の固定部５２Ｄ’、４１Ｄ’の組と、の間の離間距離「ｃ」は、ある接触子５２、４１の組と、この接触子５２、４１の組と相隣り合って配置された他の接触子５２’、４１’の組と、の間、言い換えれば、ハウジングに保持された部位と部位との間の離間距離、即ち、端子の絶縁距離「ｄ」より、大きいことに注目していただきたい。このような構成とすることにより、半田ブリッジをそれ程気にすることなく半田付けができるため半田付け作業が容易になり、また、接触子を互いに接触させることによって別途基板パターンで行うことなく電流を合成することができる。
【００４７】
同様に、例えば、接触子７６と接触子７７は、レセプタクルコネクタ２０とプラグコネクタ６０との嵌合側では、レセプタクルコネクタ２０の接触子５２、５１、４１、４２の変位方向（図示矢印「イ」方向）に対応する方向においてある所定の幅で互いに離間されているにもかかわらず、これらの各接触子７６、７７に対応して設けられた、固定部７６Ｄ（７６Ｄ'）、７７Ｄ（７７Ｄ'）は、少なくともレセプタクル２０とプラグコネクタ６０との嵌合側とは反対側の基板面１９’側において、好ましくは、レセプタクル２０とプラグコネクタ６０との嵌合側の基板面１９付近から反対側の基板面１９’の下方の全てにおいて、互いに組み合わされた状態で、プラグコネクタ６０が固定される基板１２に設けた同じ穴１７1、１７2、に挿入されて半田付けされる。
固定部７６Ｄ（７６Ｄ’）、７７Ｄ（７７Ｄ’）を同じ穴１７1、１７2、に挿入するため、接触子７６や接触子７７を含むコンタクト部材７０は、レセプタクルコネクタ２０とプラグコネクタ６０との嵌合側の基板面１９において、接触子７６、７７に対応して曲部７６Ｃ（７６Ｃ'）、７７Ｃ（７７Ｃ'）を有する。各接触子は、これらの曲部７６Ｃ（７６Ｃ'）、７７Ｃ（７７Ｃ'）において、組を構成している相手側の接触子に接近する側、例えば、接触子７６（７６’）で言えば、相手側の短接触子７７の側に、一方、接触子７７（７７’）で言えば、接触子７６の側に、それぞれ曲げられている。これらの曲部７６Ｃ（７６Ｃ'）、７７Ｃ（７７Ｃ'）を設けることにより、組を構成している一方の接触子７６の固定部７６Ｄ（７６Ｄ’）と他方の接触子７７の固定部７７Ｄ（７７Ｄ’）とを、少なくとも、レセプタクルコネクタ２０とプラグコネクタ６０との嵌合側とは反対側の基板面１９’側において面接触させた状態で、所定の穴に挿入することができるようになっている。尚、一方の接触子７６の固定部７６Ｄ（７６Ｄ）と他方の接触子７７の固定部７７Ｄ（７７Ｄ’）は、面接面しているのが好ましいが、必ずしもそれらの面は接触している必要はなく、多少離れた状態であっても互いに接近していれば十分である。多少離れていても、それらは半田付けによって物理的にもまた電気的にも接続されることになる。また、組を構成する一方及び他方の双方の接触子において曲部を設ける必要は必ずしもなく、それらの一方の側の接触子にのみ曲部を設けてもよい。例えば、接触子７６に対応する固定部７６Ｄだけを曲部７６Ｃを利用して接触子７７の側に曲げ、接触子７７に対応する固定部７７Ｄについては曲部を設けなくとも良い。明らかなように、組を構成する一方及び他方の双方の接触子において曲部を設け、且つ、一方の接触子における曲部から固定部までの距離と、他方の接触部における曲部から固定部までの距離とを同じ大きさに設定した場合、穴は、接触子７６と接触子７７が、変位方向（図示矢印「イ」方向）において離間されている幅（図９の「ｂ」）の略中間に位置することになる。これに対し、組を構成する一方の接触子にのみ曲部を設け、或いは、組を構成する一方の接触子の曲部から固定部までの距離と他方の接触子の曲部から固定部までの距離を変えた場合、穴の位置は、この中間位置から多少ずれることになる。
尚、図１３に示すように、ある接触子７６、７７の組によって構成される固定部７６ＤＤ、７７Ｄの組と、この接触子７６、７７の組と相隣り合って配置された、他の接触子７６’、７７’の組によって構成される他の固定部７６Ｄ’、７７Ｄ’の組と、の間の離間距離「ｅ」は、ある接触子７６、７７の組と、この接触子７６、７７の組と相隣り合って配置された、他の接触子７６’、７７’の組と、の間、言い換えれば、ハウジングに保持された部位と部位との間の離間距離、即ち、端子の絶縁距離「ｆ」より、大きいことに注目していただきたい。このような構成とすることにより、別途基板パターンで行うことなく電流を合成することができる。
【符号の説明】
【００４８】
１０  コネクタ装置
１１  基板
１２  基板
２０  レセプタクルコネクタ
２１  ハウジング
２３  挿入口
２４  ブリッジ部材
２５  貫通穴
３０  コンタクト部材
６０  プラグコネクタ
６１  ハウジング
７０  コンタクト部材
【図１】
2014078466.tif 000003
【図２】
2014078466.tif 000004
【図３】
2014078466.tif 000005
【図４】
2014078466.tif 000006
【図５】
2014078466.tif 000007
【図６】
2014078466.tif 000008
【図７】
2014078466.tif 000009
【図８】
2014078466.tif 000010
【図９】
2014078466.tif 000011
【図１０】
2014078466.tif 000012
【図１１】
2014078466.tif 000013
【図１２】
2014078466.tif 000014
【図１３】
2014078466.tif 000015
【図１４】
2014078466.tif 000016
【図１５】
2014078466.tif 000017
【図１６】
2014078466.tif 000018
【図１７】
2014078466.tif 000019
【図１８】
2014078466.tif 000020
【図１９】
2014078466.tif 000021